(57)【特許請求の範囲】
【請求項１】
内部に糊を保持した糊桶と、該糊桶内に配設された糊付ロールと、該糊付ロールと平行に配設されたドライブロールと均しロールとを備え、
前記糊付ロールとドライブロールと均しロールとは互いに連動して回転するように配設され、前記糊付ロールの回転により糊付ロール外周面に付着された糊桶内の糊を前記糊付ロール外周面から壁装材に転写塗布する壁紙糊付機において、
前記均しロールの周壁には、壁装材の送り方向と交わる方向に多数の溝が形成され、
前記溝の深さが、0.3〜1.0mmであり、
均しロールの周速を糊付ロールよりも速く配設してなり、均しロールと糊付ロールとの周速比が１．５：１であることを特徴とする壁紙糊付機。
【請求項２】
糊付ロールの周壁に壁装材の送り方向と交わる方向に多数の溝が形成されてなることを特徴とする請求項１に記載された壁紙糊付機。
【発明の詳細な説明】
【０００１】
【発明の属する技術分野】
本発明は、主に屋内の壁紙にシート状壁装材を貼付するに際して長尺の壁装材の裏面に糊を連続的に塗布するための壁紙糊付機に関するものである。
【０００２】
【従来の技術】
壁紙に糊を付ける方法としては、刷毛で付ける方法と、糊付機で付ける方法とが行われている。一般的な壁紙糊付機は、回動軸（クロスロール）に巻かれた壁装材（クロス）を懸架する架台と糊付け後のクロスを受けるクロス受けとの間に糊桶を備えた本体部を配置し、この本体部に種々のロール装置を組み込んで、手動又はモータ付きの壁紙糊付機として構成されている。
【０００３】
図６は従来の手動壁紙糊付機の断面構成を示す説明図である。図７は従来の均しロールの構成を示す説明図である。図８は従来の糊付ロールの構成を示す説明図であり、ａ図は斜視図、ｂ図は断面図である。図６に示す通り、糊付機本体(61)には内部の糊桶上で開閉可能な上蓋部(62)が後面側でヒンジ接続されていて、クロス(63)は上蓋部(62)の下を通っている。
【０００４】
上蓋部(62)には、引き出したクロス(63)を上方から押える２本の抑えステー(64)とドライブロール(65)とが取付けられている。糊付機本体(61)の糊桶(66)には、自身に付いた糊をクロス(63)裏面に転写塗布する糊付ロール(67)と、クロス(63)裏面に転写塗布する糊の量を調整するためのドクターロール(68)と、クロス(63)裏面に塗布された糊を均一にならす均しロール(69)とが取付けられている。
【０００５】
ドライブロール(65)と糊付ロール(67)と均しロール(69)とは、互いにギアにより連動されている。実際の操作は、クロス(63)の裏面を糊付ロール(67)、均しロール(69)に接触させ、クロス(63)の表面を抑えステー(64)とドライブロール(65)とに接触させる。クロス(63)を手でもって前方に引き出す。この時の引き出しによって、互いに連動したドライブロール(65)、糊付ロール(67)、均しロール(69)が回動し、糊をクロス(63)に転写塗布することができる。
【０００６】
ところで、図６に示す通り、例えば厚いクロスをＡ方向に引張るか、或いはＢ方向に引張るとクロスの両端部の糊の塗布量が少なくなってしまう問題点があった。また、極めてゆっくり引張るとクロス全体に糊がかすれて着いてしまう、或いは塗布量が多くなってしまう問題点もあった。
【０００７】
【発明が解決しようとする課題】
これらの問題点は、図７に示す表面が平滑な均しロール(69)により、図８に示すように軸に直行する断面方向に沿って多数の溝(81)が形成された糊付ロール(67)によってクロス(63)に全体的に転写された糊が、均しロールでかすり取られているために生じる。
【０００８】
図９は従来の均しロールでのクロス裏面に塗布された糊のかすり取られる状態を示した説明図である。図９及び図６の均しロール部に示す通り、糊がクロスの両端縁から逸出し、場合によっては両端部だけ、或いは全体的にかすれてしまう結果になっている。
【０００９】
本発明は、クロス裏面に塗布された糊をクロス裏面全面にかすれることなく、均一に塗布することのできる壁紙糊付機を得ることを目的とする。
【００１０】
【課題を解決するための手段】
本請求項１に記載された発明に係る壁紙糊付機は、内部に糊を保持した糊桶と、該糊桶内に配設された糊付ロールと、該糊付ロールと平行に配設されたドライブロールと均しロールとを備え、
前記糊付ロールとドライブロールと均しロールとは互いに連動して回転するように配設され、前記糊付ロールの回転により糊付ロール外周面に付着された糊桶内の糊を前記糊付ロール外周面から壁装材に転写塗布する壁紙糊付機において、
前記均しロールの周壁には、壁装材の送り方向と交わる方向に多数の溝が形成され、
前記溝の深さが、0.3〜1.0mmであり、
均しロールの周速を糊付ロールよりも速く配設してなり、均しロールと糊付ロールとの周速比が１．５：１であるものである。
【００１１】
本請求項２に記載された発明に係る壁紙糊付機は、請求項１に記載された糊付ロールの周壁に壁装材の送り方向と交わる方向に多数の溝が形成されてなるものである。
【００１２】
【発明の実施の形態】
本発明においては、周壁に壁装材（クロス）の送り方向と交わる方向に多数の溝が形成された均しロールの周速を糊付ロールよりも速くしたものであるため、クロス裏面に塗布された糊をクロス裏面全面にかすれることなく、均一に塗布することができる。
【００１３】
具体的には、本発明では、周壁にクロスの送り方向と交わる方向に多数の溝が形成された均しロールを用いる。この均しロールの周壁表面に形成されたクロスの送り方向に交わる方向の溝に糊が入り込み、余分な糊がその溝から逃げることができるため、クロスの引張り方、或いは引張るスピードを問わず、クロス全体的にその溝の糊がクロスに転写され、糊の不均一を低減することができ、糊のかすれを防止することができる。
【００１４】
均しロールの周壁に形成される溝は、余分な糊がその溝から逃げることができれば良い。例えば、均しロール軸と平行な直線状の溝であっても良いし、ロール軸に対して螺旋状に配された溝であっても良い。また、溝の深さについても余分な糊がその溝から逃げることができれば良いが、均しロールを加工する観点から考慮して好ましくは0.3〜1.0mm、より好ましくは0.5mm程度であれば良い。
【００１５】
また、従来の手動壁紙糊付機の糊付ロールと均しロールとの周速比は、ほぼ１：１になっていて、手で引張られるクロスは均しロールに対しても速くなってしまい、このことがクロスを引張るスピードを変化させたときの糊の塗布量を不安定にさせていることが、本発明者らによって初めて解明された。
【００１６】
即ち、手動糊付機のロールの駆動は、クロスを引張ることにより、糊の着いた糊付ロールが回り、ギアを介してドライブロール、均しロールが回るように配設されている。この場合、糊付ロールのクロスへの糊の転写の際に、糊によって糊付ロールが滑り、クロスの進み速さは糊付ロールの周速よりも速くなってしまう。
【００１７】
本発明の壁紙糊付機では、均しロールの周速を糊付ロールよりも速く配設してなるものであるため、クロスの引張りスピードよりも速く均しロールが回転するため、クロス引張りスピードが変化しても、クロス裏面の糊塗布量の不均一が生じることがなく、均一に塗布することができる。
【００１８】
例えば、ギヤ比を変化させて均しロールと糊付ロールとの周速比を例えば、１．５：１とすると、均しロールは常にクロスに対して速く回転し、クロスの引張るスピードを変化させても塗布量が安定する。
【００１９】
また、糊付ロールの周壁に壁装材の送り方向と交わる方向に多数の溝が形成されてなるものでは、糊付ロールのクロスへの糊の転写の際の糊による糊付ロールの滑りを低減させることができ、糊のかすれや不均一を更に低減することができる。
【００２０】
【実施例】
図１は本発明の手動壁紙糊付機の構成を示す説明図である。図２は図１の手動壁紙糊付機の均しロールの構成を示す説明図である。図３は図２の均しロールの断面図である。図に示す通り、糊付機本体(11)には内部の糊桶上で開閉可能な上蓋部(12)が後面側で点線で示す通り開閉可能にヒンジ接続されていて、クロス(13)は上蓋部(12)の下を通っている。
【００２１】
上蓋部(12)には、引き出したクロス(13)を上方から押える２本の抑えステー(14)とドライブロール(15)とが取付けられている。糊付機本体(11)の糊桶(16)には、自身に付いた糊をクロス(13)裏面に転写塗布する糊付ロール(17)と、クロス(13)裏面に転写塗布する糊の量を調整するドクターロール(18)と、クロス(13)裏面に塗布された糊を均一にならす均しロール(19)とが取付けられている。
【００２２】
ドライブロール(15)と糊付ロール(17)と均しロール(19)とは、互いにギアにより連動されている。実際の操作は、クロス(13)の裏面を糊付ロール(17)、均しロール(19)に接触させ、クロス(13)の表面を抑えステー(14)とドライブロール(15)とに接触させる。クロス(13)を手でもって前方に引き出す。この時の引き出しによって、互いに連動したドライブロール(15)、糊付ロール(17)、均しロール(19)が回動し、糊をクロス(13)に転写塗布することができる。
【００２３】
ところで、均しロール(19)は、図２に示す通り、均しロール周壁にロール軸と平行な直線状の多数の溝(21)が形成されている。具体的には、図３に示す通り、直径２４mmの均しロール(19)の１０°毎に深さ 0.5mmの溝(21)が形成されている。
【００２４】
糊付の際には、この均しロール(19)の周壁表面に形成された溝(21)に糊が入り込み、余分な糊がその溝(21)から逃げることができるため、クロスの引張り方、或いは引張るスピードを問わず、クロス全体的にその溝の糊がクロスに転写され、糊の不均一を低減することができ、糊のかすれを防止することができる。
【００２５】
更に、本実施例の手動壁紙糊付機では、ギヤ比を変化させて均しロール(19)と糊付ロール(17)との周速比を、１．５：１として、均しロール(19)の周速を糊付ロール(17)よりも速く配設している。このため、クロスの引張りスピードよりも速く均しロールが回転することとなり、クロス引張りスピードが変化しても、クロス裏面の糊塗布量の不均一が生じることがなく、均一に塗布することができる。
【００２６】
次の表１は本実施例の壁紙糊付機（均しロールと糊付ロールとの周速比が１．５：１）と従来の手動壁紙糊付機（均しロールと糊付ロールとの周速比が１：１）とのクロスを引張るスピードを変化させた場合のクロスに塗布される糊量を比較したものである。
【００２７】
【表１】
0004242476.tif 000002
【００２８】
表１に示す通り、糊粘度が30,000cpsの固めの糊であっても、また、糊粘度が15,000cpsの薄めの糊であっても、クロスを引張るスピードに関係なく、クロスに塗布される糊量は一定していることがわかる。
【００２９】
ところで、ギア比を変えて均しロールの周速を糊付ロールの周速よりも速くしても、糊付ロールのクロスへの糊の転写の際に、糊によって糊付ロールが滑って、均しロールの周速がクロスの進む速さよりも速くならないことが考えられる。このため、周壁に壁装材の送り方向と交わる方向に多数の溝が形成する糊付ロールを用いる。
【００３０】
図４は本発明の手動壁紙糊付機に装着される糊付ロールの一実施例の構成を示す説明図であり、ａ図は斜視図、ｂ図は断面図である。図５は糊付ロールの別の実施例の構成を示す説明図であり、ａ図は斜視図、ｂ図は断面図である。
【００３１】
図４の糊付ロール(47)は、周壁にロール軸と平行な多数の溝(41)が形成され、図５の糊付ロール(57)は、周壁にロール軸心に対して螺旋状の多数の溝(51)が形成されたものである。これらの溝(41)(51)により、糊付ロール(47)(57)のクロスへの糊の転写の際の糊による糊付ロールの滑りを低減させることができ、糊のかすれや不均一を更に低減することができる。
【００３２】
【発明の効果】
本発明は以上説明したとおり、壁装材（クロス）裏面に塗布された糊をクロス裏面全面にかすれることなく、均一に塗布することができるという効果がある。
【図面の簡単な説明】
【図１】本発明の手動壁紙糊付機の構成を示す説明図である。
【図２】図１の手動壁紙糊付機の均しロールの構成を示す説明図である。
【図３】図２の均しロールの断面図である。
【図４】本発明の手動壁紙糊付機に装着される糊付ロールの一実施例の構成を示す説明図であり、ａ図は斜視図、ｂ図は断面図である。
【図５】本発明の手動壁紙糊付機に装着される糊付ロールの別の実施例の構成を示す説明図であり、ａ図は斜視図、ｂ図は断面図である。
【図６】従来の手動壁紙糊付機の断面構成を示す説明図である。
【図７】従来の均しロールの構成を示す説明図である。
【図８】従来の糊付ロールの構成を示す説明図であり、ａ図は斜視図、ｂ図は断面図である。
【図９】従来の均しロールでのクロス裏面に塗布された糊のかすり取られる状態を示した説明図である。
【符号の説明】
(11)        …糊付機本体、
(12)        …上蓋部、
(13)        …壁装材（クロス）
(14)        …抑えステー、
(15)        …ドライブロール、
(16)        …糊桶、
(17)(47)(57)…糊付ロール、
(18)        …ドクターロール、
(19)        …均しロール、
(21)        …溝、
(41)(51)    …溝、
【図１】
0004242476.tif 000003
【図２】
0004242476.tif 000004
【図３】
0004242476.tif 000005
【図４】
0004242476.tif 000006
【図５】
0004242476.tif 000007
【図６】
0004242476.tif 000008
【図７】
0004242476.tif 000009
【図８】
0004242476.tif 000010
【図９】
0004242476.tif 000011